(57)【要約】【課題】写真画像の異常の原因をより迅速に特定できる写真撮影装置を提供する。【解決手段】被写体を撮影して画像データを取得するデジタルカメラと、画像データに基づく写真画像を所定の用紙の所定領域にプリントするプリンタと、を備える写真撮影装置に、プリンタを制御して、用紙上の所定領域以外の領域に、当該プリンタのプリント機能の状況を判定するための管理用画像をプリントさせるプリント制御手段（ＣＰＵ２，プリントプログラム４Ｅ）を備えた。【選択図】図２
2007325180.tif 000002
【特許請求の範囲】
【請求項１】
被写体を撮影して画像データを取得する撮影手段と、前記画像データに基づく写真画像を所定の用紙の所定領域にプリントするプリント手段と、を備える写真撮影装置において、
前記プリント手段を制御して、前記用紙上の前記所定領域以外の領域に、前記プリント手段のプリント機能の状況を判定するための管理用画像をプリントさせるプリント制御手段を備えることを特徴とする写真撮影装置。
【請求項２】
前記用紙から前記写真画像を読み取る読取手段と、
前記読取手段により読み取られた前記写真画像を解析して、解析結果と予め設定された判定値とに基づいて、前記写真画像に異常があるか否かを判断する判断手段と、
を備えることを特徴とする請求項１に記載の写真撮影装置。
【請求項３】
前記用紙から前記管理用画像とを読み取る読取手段と、
前記読取手段により読み取られた前記管理用画像を解析して、解析結果と予め設定された判定値とに基づいて、前記管理用画像に異常があるか否かを判断する判断手段と、
を備えることを特徴とする請求項１に記載の写真撮影装置。
【請求項４】
前記用紙から前記写真画像と前記管理用画像とを読み取る読取手段と、
前記読取手段により読み取られた前記写真画像及び前記管理用画像を解析して、解析結果と予め設定された判定値とに基づいて、前記写真画像に異常があるか否かを判断し、前記写真画像に異常がある場合に、前記管理用画像に異常があるか否かを判断する判断手段と、
を備えることを特徴とする請求項１に記載の写真撮影装置。
【請求項５】
前記判断手段により、前記写真画像と前記管理用画像の両方に異常があると判断された場合に、前記解析結果に基づいて、前記プリント手段における所定の設定項目に関する調整を行うプリント調整手段と、
前記判断手段により、前記写真画像にのみ異常があると判断された場合に、前記解析結果に基づいて、前記撮影手段における所定の設定項目に関する調整を行う撮影調整手段と、
を備えることを特徴とする請求項４に記載の写真撮影装置。
【請求項６】
撮影条件プリント手段を制御して、前記用紙上の前記所定領域以外の領域に、撮影条件情報をプリントさせる撮影条件プリント制御手段と、
前記用紙上の前記所定領域以外の領域にプリントされた前記撮影条件情報を読み取る撮影条件読取手段と、を備え、
前記プリント調整手段は、前記撮影条件読取手段により読み取られた前記撮影条件情報に基づいて、前記プリント手段における所定の設定項目に関する調整を行うことを特徴とする請求項５に記載の写真撮影装置。
【請求項７】
前記撮影条件プリント制御手段は、撮影条件プリント手段を制御して、前記撮影条件情報を二次元バーコードによりプリントさせることを特徴とする請求項６に記載の写真撮影装置。
【発明の詳細な説明】
【技術分野】
【０００１】
本発明は、写真撮影装置にかかるものである。
【背景技術】
【０００２】
従来、免許証やパスポート，履歴書等に貼付するための証明写真等を撮影するためのボックス型の写真撮影装置が知られている。また、写真をプリントする写真プリンタにおいて、プリント時の補正データ，コマ番号データ等を写真の裏面に印字する裏印字機能を有するものも知られている（例えば、特許文献１）。
【特許文献１】特開平７−００５５８２号公報
【発明の開示】
【発明が解決しようとする課題】
【０００３】
ところで、写真撮影装置において、プリントされた写真画像に異常がある場合に、カメラ部分とプリンタ部分のどちらに原因があるのかが判別できず、原因特定に時間がかかってしまうという問題がある。
【０００４】
本発明の課題は、プリントされた写真画像の異常の原因をより迅速に特定できる写真撮影装置を提供することである。
【課題を解決するための手段】
【０００５】
請求項１に記載の発明は、被写体を撮影して画像データを取得する撮影手段と、前記画像データに基づく写真画像を所定の用紙の所定領域にプリントするプリント手段と、を備える写真撮影装置において、
前記プリント手段を制御して、前記用紙上の前記所定領域以外の領域に、前記プリント手段のプリント機能の状況を判定するための管理用画像をプリントさせるプリント制御手段を備えることを特徴としている。
【０００６】
請求項２に記載の発明は、請求項１に記載の写真撮影装置において、
前記用紙から前記写真画像を読み取る読取手段と、
前記読取手段により読み取られた前記写真画像を解析して、解析結果と予め設定された判定値とに基づいて、前記写真画像に異常があるか否かを判断する判断手段と、
を備えることを特徴としている。
【０００７】
請求項３に記載の発明は、請求項１に記載の写真撮影装置において、
前記用紙から前記管理用画像とを読み取る読取手段と、
前記読取手段により読み取られた前記管理用画像を解析して、解析結果と予め設定された判定値とに基づいて、前記管理用画像に異常があるか否かを判断する判断手段と、
を備えることを特徴としている。
【０００８】
請求項４に記載の発明は、請求項１に記載の写真撮影装置において、
前記用紙から前記写真画像と前記管理用画像とを読み取る読取手段と、
前記読取手段により読み取られた前記写真画像及び前記管理用画像を解析して、解析結果と予め設定された判定値とに基づいて、前記写真画像に異常があるか否かを判断し、前記写真画像に異常がある場合に、前記管理用画像に異常があるか否かを判断する判断手段と、
を備えることを特徴としている。
【０００９】
請求項５に記載の発明は、請求項４に記載の写真撮影装置において、
前記判断手段により、前記写真画像と前記管理用画像の両方に異常があると判断された場合に、前記解析結果に基づいて、前記プリント手段における所定の設定項目に関する調整を行うプリント調整手段と、
前記判断手段により、前記写真画像にのみ異常があると判断された場合に、前記解析結果に基づいて、前記撮影手段における所定の設定項目に関する調整を行う撮影調整手段と、
を備えることを特徴としている。
【００１０】
請求項６に記載の発明は、請求項５に記載の写真撮影装置において、
撮影条件プリント手段を制御して、前記用紙上の前記所定領域以外の領域に、撮影条件情報をプリントさせる撮影条件プリント制御手段と、
前記用紙上の前記所定領域以外の領域にプリントされた前記撮影条件情報を読み取る撮影条件読取手段と、を備え、
前記プリント調整手段は、前記撮影条件読取手段により読み取られた前記撮影条件情報に基づいて、前記プリント手段における所定の設定項目に関する調整を行うことを特徴としている。
【００１１】
請求項７に記載の発明は、請求項６に記載の写真撮影装置において、
前記撮影条件プリント制御手段は、撮影条件プリント手段を制御して、前記撮影条件情報を二次元バーコードによりプリントさせることを特徴としている。
【発明の効果】
【００１２】
請求項１に記載の発明によれば、写真画像に異常がある場合に、管理用画像を視認することにより、プリント手段の機能に異常があるか否かを確認することができ、写真画像の異常の原因をより迅速に特定することができる。
【００１３】
請求項２に記載の発明によれば、請求項１に記載の発明と同様の効果が得られることは勿論のこと、特に、写真画像における目視では確認できない画質の異常も自動検出されることとなって、より精密に写真画像の異常を確認することができる。
【００１４】
請求項３に記載の発明によれば、請求項１に記載の発明と同様の効果が得られることは勿論のこと、特に、管理用画像における目視では確認できない画質の異常も自動検出されることとなって、より精密に写真画像の異常の原因を特定することができる。
【００１５】
請求項４に記載の発明によれば、請求項１に記載の発明と同様の効果が得られることは勿論のこと、特に、写真画像及び管理用画像における目視では確認できない画質の異常も自動検出されることとなって、より精密に写真画像の異常の原因を特定することができる。
【００１６】
請求項５に記載の発明によれば、請求項４に記載の発明と同様の効果が得られることは勿論のこと、特に、写真画像に異常がある場合に、プリント手段と撮影手段のどちらに原因があるのかが自動で判断されるとともに、プリント手段又は撮影手段の調整が自動で行われるので、写真画像の異常を迅速に解決することができる。
【００１７】
請求項６に記載の発明によれば、請求項５に記載の発明と同様の効果が得られることは勿論のこと、特に、写真画像の異常の原因が撮影条件にある場合に、当該撮影条件情報に基づいてプリント調整手段によりプリント手段の調整が行われることとなって、撮影条件に起因する写真画像の異常を解決することができる。
【００１８】
請求項７に記載の発明によれば、請求項６に記載の発明と同様の効果が得られるのは勿論のこと、特に、撮影条件情報が二次元バーコードによりプリントされるので、撮影条件に関するより多くの情報を用紙上の紙面を節約しながらプリントすることができる。
【発明を実施するための最良の形態】
【００１９】
以下、図面を参照して本発明の最良の形態について詳細に説明する。ただし、発明の範囲は、図示例に限定されない。また、限定的な表現をする場合があるが、これに限られるものではない。
【００２０】
本発明に係る写真撮影装置１００は、例えば、図１に示すように、本体部１０，ストロボユニット１１，デジタルカメラ１２，表示部１３，コインメック１４，スピーカ１５，操作部１６，プリンタ１７，読取部１８,バーコード読取部１９,入室センサＳ１等を備えて構成されている。
【００２１】
ストロボユニット１１は、例えば、後述するＣＰＵ２からの発光指示の制御信号に従って、撮影室内の各部に設置されたストロボ１１ａの発光タイミングや発光量を制御するものであり、ストロボ１１ａはストロボユニット１１の制御に応じて発光を行う。
【００２２】
デジタルカメラ１２は、例えば、シャッター、光学レンズ、ＣＣＤ（Charge  Coupled  Device）等の撮像素子、Ａ／Ｄ変換部等を備えて構成され、光学レンズを介して入力される被写体像を撮像素子により光電変換して画像信号を生成する。そして、Ａ／Ｄ変換部によりアナログ画像信号からデジタル画像データを得て、当該デジタル画像データをＣＰＵ２に出力し、撮影手段として機能する。なお、デジタルカメラ１２に代えて動画を記録可能なデジタルビデオカメラが備えられてもよい。
【００２３】
表示部１３は、例えば、ＬＣＤ（Liquid  Crystal  Display）等を備えて構成され、ＣＰＵ２から入力される指示信号に従って操作画面を表示したり、撮影画像のプレ表示を行う。
【００２４】
コインメック１４は、例えば、硬貨や紙幣の入金口、釣銭返金口等を備えた金銭登録機であり、ＣＰＵ２により制御されて、入金口から入金された金額と規定の撮影料金とから釣銭金額を算出し、釣銭金額に応じた硬貨又は紙幣を釣銭返金口に排出する。
【００２５】
スピーカ１５は、例えば、入力される音データに基づいてガイドアナウンス音声等を出力する。
【００２６】
操作部１６は、例えば、表示部１３と一体的に構成されるタッチパネル、撮影室の内壁に設けられた選択ボタン、撮影ボタン等の各種機能ボタン等のハードキー、数字キーが配列されたテンキー等を備えて構成され、顧客により操作されることにより各種の操作信号をＣＰＵ２に入力する。
【００２７】
プリンタ１７は、例えば、ＣＰＵ２が後述するプリントプログラム４Ｅを実行することにより制御されて、デジタルカメラ１２により取得された画像データに基づく写真画像Ｓ２を所定の用紙Ｙの所定領域Ｒ１にプリントするとともに、当該用紙Ｙの当該所定領域Ｒ１以外の領域Ｒ２に当該プリンタ１７のプリント機能の状況を判定するための管理用画像Ｇをプリントし、プリント手段として機能する。
プリンタ１７のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００２８】
また、プリンタ１７は、例えば、ＣＰＵ２が撮影条件プリントプログラム４Ｅを実行することにより制御されて、プリンタ１７が写真画像Ｓ２をプリントする用紙Ｙの所定領域Ｒ１以外の領域Ｒ２に、二次元バーコードＢをプリントし、撮影条件プリント手段として機能する。
【００２９】
ここで、プリンタ１７により写真画像Ｓ２、管理用画像Ｇ及び二次元バーコードＢがプリントされた用紙Ｙの一例を図３に示す。例えば、図３に示すように、プリンタ１７により、写真画像Ｓ２は、用紙Ｙの所定領域Ｒ１に複数プリントされており、管理用画像Ｇは、用紙Ｙの当該所定領域Ｒ１以外の領域Ｒ２にプリントされており、二次元バーコードＢは、用紙Ｙの当該所定領域Ｒ１以外の領域Ｒ２であって管理用画像Ｇとは別の場所にプリントされている。また、プリンタ１７により、所定領域Ｒ１以外の領域Ｒ２に領収書Ｒもプリントされている。
【００３０】
読取部１８は、例えば、スキャナ等を備えて構成され、ＣＰＵ２が後述する読取プログラム４Ｆを実行することにより制御されて、プリンタ１７により用紙Ｙにプリントされた写真画像Ｓ２及び管理用画像Ｇを読み取り、読取手段として機能する。
【００３１】
バーコード読取部１９は、例えば、バーコードリーダや、スキャナ、光学式文字読取装置（ＯＣＲ装置）、磁気読取装置等を備えて構成され、ＣＰＵ２が後述するバーコード読取プログラム４Ｇを実行することにより制御されて、プリンタ１７により用紙Ｙにプリントされた二次元バーコードＢを読み取り、撮影条件読取手段として機能する。
【００３２】
入室センサＳ１は、顧客が撮影室に入室したことを検出するものであり、顧客の入室を検出するとその検出信号をＣＰＵ２に出力する。入室センサＳ１としては、発光器と受光器とからなる光学式センサ等が適用可能である。
【００３３】
本体部１０は、例えば、Ｉ／Ｏコントロール１，ＣＰＵ（Central  Processing  Unit）２，ＲＡＭ（Random  Access  Memory）３，記憶部４，Ｉ／Ｆ５等を備えて構成され、Ｉ／Ｏコントロール１を介してストロボユニット１１，コインメック１４，スピーカ１５，操作部１６に接続されるとともに、Ｉ／Ｆ５を介してプリンタ１７に接続されている。
【００３４】
Ｉ／Ｏコントロール１は、例えば、本体部１０と、ストロボユニット１１、コインメック１４、操作部１６との間で情報のやり取りを仲介するインターフェイスであり、ＣＰＵ２からの制御信号をストロボユニット１１、コインメック１４に送信するとともに操作部１６からの操作信号をＣＰＵ２に送信する。
【００３５】
ＣＰＵ２は、例えば、記憶部４に格納された処理プログラム等を読み出して、ＲＡＭ３に展開して実行することにより、写真撮影装置１００全体の制御を行う。
【００３６】
ＲＡＭ３は、例えば、ＣＰＵ２により実行された処理プログラム等を、ＲＡＭ３内のプログラム格納領域に展開するとともに、入力データや上記処理プログラムが実行される際に生じる処理結果等をデータ格納領域に格納する。
【００３７】
記憶部４は、例えば、プログラムやデータ等が予め記憶されている記録媒体（図示せず）を有しており、この記録媒体は、例えば、半導体メモリ等で構成されている。また、記憶部４は、ＣＰＵ２が写真撮影装置１００全体を制御する機能を実現させるための各種データ，各種処理プログラム，これらプログラムの実行により処理されたデータ等を記憶する。より具体的には、記憶部４は、例えば、図２に示すように、管理用画像データファイル４Ａ，撮影プログラム４Ｂ，画像処理プログラム４Ｃ，バーコード生成プログラム４Ｄ，プリントプログラム４Ｅ，読取プログラム４Ｆ，バーコード読取プログラム４Ｇ,判断プログラム４Ｈ,プリンタ調整プログラム４Ｉ，カメラ・ストロボ調整プログラム４Ｊ等を格納している。
【００３８】
管理用画像データファイル４Ａは、例えば、管理用画像Ｇの画像データを記憶している。ここで、管理用画像Ｇとは、例えば、グレー等の所定の色が均一な濃度でプリントされる画像である。
【００３９】
撮影プログラム４Ｂは、例えば、ＣＰＵ２に、操作部１６から撮影指示の操作信号が入力された場合に、ストロボユニット１１及びデジタルカメラ１２を制御して撮影を行い、撮影により得られた画像データをＣＰＵ２に出力する機能を実現させるプログラムである。
【００４０】
画像処理プログラム４Ｃは、例えば、ＣＰＵ２に、デジタルカメラ１２により取得された画像データに、顔位置検出，顔画像切り出し，顔画像回転，リサイズ，色変換，シャープネス補正等の画像処理を施す機能を実現させるプログラムである。
【００４１】
バーコード生成プログラム４Ｄは、例えば、ＣＰＵ２に、撮影日時,湿度,温度,材料ロット情報等を示す二次元バーコードデータを生成する機能を実現させるプログラムである。
【００４２】
プリントプログラム４Ｅは、例えば、ＣＰＵ２に、プリンタ１７を制御して、デジタルカメラ１２により取得され、画像処理を施した画像データに基づく写真画像Ｓ２を所定の用紙Ｙの所定領域Ｒ１にプリントさせるとともに、当該用紙Ｙの所定領域Ｒ１以外の領域Ｒ２に管理用画像Ｇ及び撮影日時,湿度,温度,材料ロット情報等を含む撮影条件情報を示す二次元バーコードＢをプリントさせる機能を実現させるプログラムである。
より具体的には、プリントプログラム４Ｅは、例えば、ＣＰＵ２に、画像処理を施した画像データと、管理用画像データファイル４Ａに記憶されている管理用画像データと、生成した二次元バーコードデータとを用いてテンプレート画像データを合成し、当該テンプレート画像データに基づいて、プリンタ１７に写真画像Ｓ２、管理行画像Ｇ及び二次元バーコードＢをプリントさせる機能を実現させるプログラムである。
ＣＰＵ２は、かかるプリントプログラム４Ｅを実行することにより、プリント制御手段及び撮影条件プリント制御手段として機能する。
【００４３】
読取プログラム４Ｆは、例えば、ＣＰＵ２に、読取部１８を制御して、プリンタ１７によりプリントされた写真画像Ｓ２と管理用画像Ｇとを読み取らせる機能を実現させるプログラムである。ＣＰＵ２は、かかる読取プログラム４Ｆを実行することにより、読取部１８とともに読取手段として機能する。
【００４４】
バーコード読取プログラム４Ｇは、例えば、ＣＰＵ２に、バーコード読取部１９を制御して、プリンタ１７によりプリントされた二次元バーコードＢを読み取らせる機能を実現させるプログラムである。ＣＰＵ２は、かかるバーコード読取プログラム４Ｇを実行することにより、バーコード読取部１９とともに撮影条件読取手段として機能する。
【００４５】
判断プログラム４Ｈは、例えば、ＣＰＵ２に、読取部１８に読み取られた写真画像Ｓ２を解析して、解析結果と予め設定された判定値とに基づいて、当該写真画像Ｓ２に異常があるか否かを判断し、写真画像Ｓ２に異常がある場合には、読取部１８に読み取られた管理用画像Ｇを解析して、管理用画像Ｇに異常があるか否かを判断する機能を実現させるプログラムである。
具体的には、判断プログラム４Ｈは、例えば、ＣＰＵ２に、読取部１８に読み取られた写真画像Ｓ２及び管理用画像Ｇの色濃度分布等を解析し、解析結果と判定値とを比較して、当該写真画像Ｓ２及び管理用画像Ｇに異常があるか否かを判断する機能を実現させるプログラムである。
より具体的には、管理用画像Ｇに異常があるか否かは、例えば、管理用画像Ｇとして標準グレーチャートを用い、管理用画像Ｇの特定部位のプリントの画像濃度を測定し、当該画像濃度が基準値範囲内か否かにより判断される。また、写真画像Ｓ２に異常があるか否かは、例えば、写真画像Ｓ２の特定背景部のプリントの画像濃度を測定し、当該画像濃度が基準値範囲内か否かにより判断される。
ＣＰＵ２は、かかる判断プログラム４Ｈを実行することにより、判断手段として機能する。
【００４６】
プリンタ調整プログラム４Ｉは、例えば、ＣＰＵ２に、判断プログラム４Ｈを実行することにより、写真画像Ｓ２と管理用画像Ｇの両方に異常があると判断した場合に、プリンタ１７における所定の設定項目に関する調整を行う機能を実現させるプログラムである。
また、プリンタ調整プログラム４Ｉは、例えば、ＣＰＵ２に、バーコード読取部１９により読み取られた二次元バーコードＢにより記載された撮影条件情報に基づいて、プリンタ１７における所定の設定項目に関する調整を行う機能を実現させるプログラムである。
より具体的には、プリンタ調整プログラム４Ｉは、例えば、ＣＰＵ２に、写真画像Ｓ２と管理用画像Ｇの両方に異常があると判断した場合に、当該写真画像Ｓ２及び管理用画像Ｇの解析結果と撮影条件情報とに基づいて、プリンタ１７に設定された昇華温度，プリント濃度等を調節することにより、プリンタ１７を調整する機能を実現させるプログラムである。
ＣＰＵ２は、かかるプリンタ調整プログラム４Ｉを実行することにより、プリント調整手段として機能する。
【００４７】
カメラ・ストロボ調整プログラム４Ｊは、例えば、ＣＰＵ２に、判断プログラム４Ｈを実行することにより、写真画像Ｓ２にのみ異常があると判断した場合に、ストロボユニット１１,デジタルカメラ１２等における所定の設定項目に関する調整を行う機能を実現させるプログラムである。より具体的には、カメラ・ストロボ調整プログラム４Ｊは、例えば、ＣＰＵ２に、写真画像Ｓ２にのみ異常があると判断した場合に、当該写真画像Ｓ２及び管理用画像Ｇの解析結果に基づいて、ストロボユニット１１にストロボ１１ａの発光量等を調節させたり、デジタルカメラ１２におけるシャッター速度や光学レンズの開口率等を調節することにより、ストロボユニット１１及びデジタルカメラ１２を調整する機能を実現させるプログラムである。ＣＰＵ２は、かかるカメラ・ストロボ調整プログラム４Ｊを実行することにより、撮影調整手段として機能する。
【００４８】
Ｉ／Ｆ５は、例えば、本体部１０と、プリンタ１７との間で情報のやり取りを仲介するインターフェイスである。
【００４９】
次に、上述のような構成の写真撮影装置１００における撮影プリント動作の一例を図４に示すフローチャートを参照しながら説明する。
【００５０】
まず、ＣＰＵ２は撮影プログラム４Ｂを実行することにより、ストロボユニット１１及びデジタルカメラ１２を制御して、被写体である顧客の顔を撮影し、画像データを得る（ステップＳ１）。
【００５１】
次に、ＣＰＵ２は、画像処理プログラム４Ｃを実行することにより、ステップＳ１で得られた画像データに対して所定の画像処理を施す（ステップＳ２）。
【００５２】
次に、ＣＰＵ２は、バーコード生成プログラム４Ｄを実行することにより、撮影日時,湿度,温度,材料ロット情報等の撮影条件情報を示す二次元バーコードデータを生成する（ステップＳ３）。
【００５３】
次に、ＣＰＵ２は、プリントプログラム４Ｅを実行することにより、ステップＳ２において画像処理を施した画像データと、管理用画像データファイル４Ａに記憶されている管理用画像データと、ステップＳ３において生成した二次元バーコードデータとを用いてテンプレート画像データを合成する（ステップＳ４）。
【００５４】
次に、ＣＰＵ２は、プリントプログラム４Ｅの実行に基づいて、当該テンプレート画像データに基づいて、プリンタ１７に写真画像Ｓ２、管理行画像Ｇ及び二次元バーコードＢをプリントさせる（ステップＳ５）。
【００５５】
次に、本実施形態に係る写真撮影装置１００における調整動作の一例を図５に示すフローチャートを参照しながら説明する。
【００５６】
まず、ＣＰＵ２は、読取プログラム４Ｆとバーコード読取プログラム４Ｇとを実行することにより、読取部１８とバーコード読取部１９とを制御して、用紙Ｙにプリントされた写真画像Ｓ２及び管理用画像Ｇと二次元バーコードＢとを読み取らせる（ステップＳ１０１）。
【００５７】
次に、ＣＰＵ２は、判断プログラム４Ｈを実行することにより、ステップＳ１０１において読み取られた写真画像Ｓ２を解析して、解析結果と予め設定された判定値とに基づいて、当該写真画像Ｓ２に異常があるか否かを判断する（ステップＳ１０２）。
【００５８】
ステップＳ１０２において、ＣＰＵ２が、写真画像Ｓ２に異常がないと判断した場合には（ステップＳ１０２；Ｎｏ）、本処理を終了する。
ステップＳ１０２において、ＣＰＵ２が、写真画像Ｓ２に異常があると判断した場合には（ステップＳ１０２；Ｙｅｓ）、ＣＰＵ２は、判断プログラム４Ｈの実行に基づいて、読取部１８に読み取られた管理用画像Ｇを解析して、管理用画像Ｇに異常があるか否かを判断する（ステップＳ１０３）。
【００５９】
ステップＳ１０３において、ＣＰＵ２が、管理用画像Ｇに異常があると判断した場合には（ステップＳ１０３；Ｙｅｓ）、ＣＰＵ２は、プリンタ調整プログラム４Ｉを実行することにより、解析結果及び二次元バーコードＢにより示される撮影条件情報に基づいて、プリンタ１７の所定の設定項目に関する調整をして（ステップＳ１０４）、本処理を終了する。
ステップＳ１０３において、ＣＰＵ２が、管理用画像Ｇに異常がないと判断した場合には（ステップＳ１０３；Ｎｏ）、ＣＰＵ２は、カメラ・ストロボ調整プログラム４Ｊを実行することにより、ストロボユニット１１,デジタルカメラ１２等の所定の設定項目に関する調整をして（ステップＳ１０５）、本処理を終了する。
【００６０】
以上に説明した、本発明に係る写真撮影装置１００によれば、ＣＰＵ２がプリントプログラム４Ｅを実行することにより、プリンタ１７に、用紙Ｙ上の所定領域Ｒ１以外の領域Ｒ２に、プリンタ１７のプリント機能の状況を判定するための管理用画像Ｇをプリントさせるので、写真画像Ｓ２に異常がある場合に、管理用画像Ｇを視認することにより、プリンタ１７の機能に以上があるか否かを確認することができ、写真画像Ｓ２の異常の原因をより迅速に特定することができる。
【００６１】
また、ＣＰＵ２が読取プログラム４Ｆを実行することにより、読取部１８が制御されて、用紙Ｙから写真画像Ｓ２と管理用画像Ｇとが読み取られ、ＣＰＵ２が判断プログラム４Ｈを実行することにより、読取部１８によって読み取られた写真画像Ｓ２及び管理用画像Ｇが解析され、解析結果と予め設定された判定値とに基づいて、写真画像Ｓ２に異常があるか否かが判断され、写真画像Ｓ２に異常がある場合に、管理用画像Ｇに異常があるか否かが判断されるので、写真画像Ｓ２及び管理用画像Ｇにおける目視では確認できない画質の異常も自動検出されることとなって、より精密に写真画像Ｓの異常の原因を特定することができる。
【００６２】
また、ＣＰＵ２がプリンタ調整プログラム４Ｉを実行することにより、判断プログラム４Ｈを実行することによって写真画像Ｓ２と管理用画像Ｇの両方に異常があると判断された場合に、解析結果に基づいて、プリンタ１７における所定の設定項目に関する調整が行われ、ＣＰＵ２がカメラ・ストロボ調整プログラム４Ｊを実行することにより、判断プログラム４Ｈを実行することによって写真画像Ｓ２にのみ異常があると判断された場合に、解析結果に基づいて、デジタルカメラ１２，ストロボユニット１１における所定の設定項目に関する調整が行われるので、写真画像Ｓ２に異常がある場合に、プリンタ１７とデジタルカメラ１２及びストロボユニット１１のどちらに原因があるのかが自動で判断されるとともに、プリンタ１７又はデジタルカメラ１２及びストロボユニット１１の調整が自動で行われるので、写真画像Ｓ２の異常を迅速に解決することができる。
【００６３】
また、ＣＰＵ２がプリントプログラム４Ｅを実行することにより、プリンタ１７が制御されて、用紙Ｙ上の所定領域Ｒ１以外の領域Ｒ２に、撮影条件情報がプリントされ、バーコード読取部１９により、用紙Ｙ上の所定領域Ｒ１以外の領域Ｒ２にプリントされた撮影条件情報が読み取られ、ＣＰＵ２がプリンタ調整プログラム４Ｉを実行することにより、バーコード読取部１９によって読み取られた撮影条件情報に基づいて、プリンタ１７における所定の設定項目に関する調整が行われるので、写真画像Ｓ２の異常の原因が撮影条件にある場合に、当該撮影条件情報に基づいてプリンタ１７の調整が行われることとなって、撮影条件に起因する写真画像Ｓ２の異常を解決することができる。
【００６４】
また、ＣＰＵ２がプリントプログラム４Ｅを実行することにより、プリンタ１７が制御されて、撮影条件情報が二次元バーコードＢによりプリントされるので、撮影条件に関するより多くの情報を用紙Ｙ上の紙面を節約しながらプリントすることができる。
【００６５】
また、撮影条件情報は、撮影した撮影日時，湿度，温度，材料ロット情報に関する情報であるので、例えば、湿度，温度に基づいてプリンタ１７の印字温度等を調整することができるとともに、材料ロット情報から使用されている材料に不良がある場合には当該材料に原因があることを迅速に特定することができる。
【００６６】
なお、本実施形態において、写真画像Ｓ２及び管理用画像Ｇを読み取る読取部１８が備えられることとしたが、必ずしも、読取部１８が備えられていなくともよく、写真画像Ｓ２及び／又は管理用画像Ｇは、写真撮影装置１００のメンテナンスを行うオペレータにより目視により確認されてもよいし、メンテナンス時に写真画像Ｓ２及び／又は管理用画像Ｇがオペレータが所持する読取装置等により読み取られてもよい。
また、本実施形態において、二次元バーコードＢを読み取るバーコード読取部１９が備えられなくともよく、写真撮影装置１００のメンテナンスを行うオペレータが所持するバーコード読取装置等により読み取られてもよい。
また、本実施形態において、写真画像Ｓ２及び／又は管理用画像Ｇに異常がある場合に、プリンタ１７及び／又はデジタルカメラ１２，ストロボユニット１１の所定の設定項目の自動調整が行われなくともよく、スピーカ１５若しくは表示部１３に、写真画像Ｓ２及び／又は管理用画像Ｇに異常がある旨を示す所定のアラームが出力されるように構成されてもよい。また、写真撮影装置１００がネットワークによりサーバ等に接続されている場合には、写真画像Ｓ２及び／又は管理用画像Ｇに異常がある旨がサーバに通知されるように構成してもよい。
また、プリンタ１７により二次元バーコードＢがプリントされることとしたが、プリンタ１７とは別にバーコード印字部を設けて、当該バーコード印字部により二次元バーコードがプリントされるように構成してもよい。撮影条件情報は、二次元バーコードＢでプリントされることとしたが、どのような形式でプリントされてもよい。
【図面の簡単な説明】
【００６７】
【図１】本発明に係る写真撮影装置の概略構成図である。
【図２】本発明に係る写真撮影装置の記憶部の構成を示すブロック図である。
【図３】本発明に係る写真撮影装置によりプリントされた用紙の一例を示す図である。
【図４】本発明に係る写真撮影装置の撮影プリント動作の一例を説明するためのフローチャートである。
【図５】本発明に係る写真撮影装置の調整動作の一例を説明するためのフローチャートである。
【符号の説明】
【００６８】
２  ＣＰＵ（プリント制御手段，撮影条件プリント制御手段，読取手段，撮影条件読取手段，判断手段，プリント調整手段，撮影調整手段）
４Ｅ  プリントプログラム（プリント制御手段，撮影条件プリント制御手段）
４Ｆ  読取プログラム（読取手段）
４Ｇ  バーコード読取プログラム（撮影条件読取手段）
４Ｈ  判断プログラム（判断手段）
４Ｉ  プリンタ調整プログラム（プリント調整手段）
４Ｊ  カメラ・ストロボ調整プログラム（撮影調整手段）
１２  デジタルカメラ（撮影手段）
１７  プリンタ（プリント手段,撮影条件プリント手段）
１８  読取部（読取手段）
１９  バーコード読取部（撮影条件読取手段）
１００  写真撮影装置
Ｂ  二次元バーコード
Ｇ  管理用画像
Ｒ１  所定領域
Ｒ２  所定領域以外の領域
Ｓ２  写真画像
Ｙ  用紙
【図１】
2007325180.tif 000003
【図２】
2007325180.tif 000004
【図３】
2007325180.tif 000005
【図４】
2007325180.tif 000006
【図５】
2007325180.tif 000007